(57)【要約】【課題】冗長構成を有し、信号を終端してから配信する収容局装置を提供する。【解決手段】ＯＬＴ３０は、光送信部３１０と、階層化された光増幅／分配部３５０−１、−２を有する。光送信部３１０は、冗長化された信号を終端し、受信品質に基づいて信号を選択する信号終端／選択部３１０１と、選択された信号から下位のネットワークの信号形式の光信号を生成する光信号生成部３１０２と、光信号を分配する光分配部３１０３とを有する。光増幅／分配部３５０−１は、光送信部３１０から光信号を一つ入力し、光増幅／分配部３５０−２は、光増幅／分配部３５０−１から光信号を一つ入力する。光増幅／分配部３５０−１、−２は、入力した光信号の光パワーを増幅する光増幅部３５０１と、増幅された光信号を複数に分配する光分配部３５０２とを備える。最終段の光増幅／分配部３５０２−２の光分配部３５０２は、光信号を下位のネットワークに送出する。【選択図】図２
2018037954.tif 000002
【特許請求の範囲】
【請求項１】
受信した信号から生成した光信号を出力する光送信部と、
前記光信号の増幅及び分岐を行う階層化された１以上の光増幅分配部とを備え、
前記光送信部は、
上位のネットワークから受信した複数に冗長化された信号を終端し、終端した前記信号のうち受信品質に基づいて選択した信号を出力する信号終端選択部と、
前記信号終端選択部が出力した前記信号から下位のネットワークに用いられる信号形式の光信号を生成し、出力する光信号生成部と、
前記光信号生成部が出力した前記光信号を一つ以上に分配して出力する光送信部側光分配部とを備え、
前記光増幅分配部は、
前記光送信部又は前段の他の前記光増幅分配部が出力した光信号を一つ入力し、光パワーを増幅して出力する光増幅部と、
前記光増幅部が出力した前記光信号を複数に分配して出力する光増幅分配部側光分配部とを備え、
最終段の前記光増幅分配部が備える前記光増幅分配部側光分配部は、分配した前記光信号を下位のネットワークに送出する、
ことを特徴とする収容局装置。
【請求項２】
受信した信号から生成した光信号を出力する光送信部と、
前記光信号の増幅及び分岐を行う階層化された１以上の光増幅分配部とを備え、
前記光送信部は、
上位のネットワークから受信した複数に冗長化された信号をそれぞれ終端する複数の信号終端部と、
対応する前記信号終端部が終端した前記信号から下位のネットワークに用いられる信号形式の光信号を生成し、出力する複数の光信号生成部と、
複数の前記光信号生成部が出力した前記光信号から選択した一つの光信号を出力する光スイッチと、
前記光スイッチが出力した前記光信号の一部の光パワーを分配するモニタ用光分配部と、
前記モニタ用光分配部が分配した一方の前記光信号をモニタした結果得られた情報を基に前記光スイッチによる光信号の選択を制御する制御部と、
前記モニタ用光分配部が分配した他方の前記光信号を一つ以上に分配して出力する光分配部とを備え、
前記光増幅分配部は、
前記光送信部又は前段の他の前記光増幅分配部が出力した光信号を一つ入力し、光パワーを増幅して出力する光増幅部と、
前記光増幅部が出力した前記光信号を複数に分配して出力する光増幅分配部側光分配部とを備え、
最終段の前記光増幅分配部が備える前記光増幅分配部側光分配部は、分配した前記光信号を下位のネットワークに送出する、
ことを特徴とする収容局装置。
【請求項３】
受信した信号から生成した光信号を出力する光送信部と、
前記光信号の増幅及び分岐を行う階層化された１以上の光増幅分配部とを備え、
前記光送信部は、
上位のネットワークから受信した複数に冗長化された信号を終端し、終端した前記信号のうち受信品質に基づいて選択した信号を出力する信号終端選択部と、
前記信号終端選択部が出力した前記信号を複数に分配して出力する信号分配部と、
前記信号分配部が出力した複数の前記信号をそれぞれ入力し、入力した前記信号から下位のネットワークに用いられる信号形式の光信号を生成し、出力する複数の光信号生成部と、
複数の前記光信号生成部それぞれが出力した前記光信号から選択した一つの光信号を出力する光スイッチと、
前記光スイッチが出力した前記光信号の一部の光パワーを分配するモニタ用光分配部と、
前記モニタ用光分配部が分配した一方の前記光信号をモニタした結果得られた情報を基に前記光スイッチによる光信号の選択を制御する制御部と、
前記モニタ用光分配部が分配した他方の前記光信号を一つ以上に分配して出力する光分配部とを備え、
前記光増幅分配部は、
前記光送信部又は前段の他の前記光増幅分配部が出力した光信号を一つ入力し、光パワーを増幅して出力する光増幅部と、
前記光増幅部が出力した前記光信号を複数に分配して出力する光増幅分配部側光分配部とを備え、
最終段の前記光増幅分配部が備える前記光増幅分配部側光分配部は、分配した前記光信号を下位のネットワークに送出する、
ことを特徴とする収容局装置。
【請求項４】
受信した信号から生成した光信号を出力する光送信部と、
前記光信号の増幅及び分岐を行う階層化された１以上の光増幅分配部とを備え、
前記光送信部は、
上位のネットワークから受信した複数に冗長化された信号を終端し、終端した前記信号のうち受信品質に基づいて選択した信号を出力する信号終端選択部と、
前記信号終端選択部が出力した前記信号から下位のネットワークに用いられる信号形式の光信号を生成し、出力する光信号生成部と、
前記光信号生成部が出力した前記光信号を一つ以上に分配して出力する光送信部側光分配部とを備え、
前記光増幅分配部は、
前記光送信部又は前段の他の前記光増幅分配部が出力した前記光信号を一つ入力し、複数に分配して出力する入力光分配部と、
前記入力光分配部が出力した複数の前記光信号それぞれを入力し、光パワーを増幅して出力する複数の光増幅部と、
複数の前記光増幅部それぞれが出力した前記光信号から選択した一つの光信号を出力する光スイッチと、
前記光スイッチが出力した前記光信号の一部の光パワーを分配するモニタ用光分配部と、
前記モニタ用光分配部が分配した一方の前記光信号をモニタした結果得られた情報を基に前記光スイッチによる光信号の選択を制御する制御部と、
前記モニタ用光分配部が分配した他方の前記光信号を１以上に分配して出力する光分配部とを備え、
最終段の前記光増幅分配部が備える前記光分配部は、分配した前記光信号を下位のネットワークに送出する、
ことを特徴とする収容局装置。
【請求項５】
受信した信号から生成した光信号を出力する光送信部と、
前記光信号の増幅及び分岐を行う階層化された１以上の光増幅分配部とを備え、
前記光送信部は、
上位のネットワークから受信した複数に冗長化された信号を終端し、終端した前記信号のうち受信品質に基づいて選択した信号を出力する信号終端選択部と、
前記信号終端選択部が出力した前記信号から下位のネットワークに用いられる信号形式の光信号を生成し、出力する光信号生成部と、
前記光信号生成部が出力した前記光信号を一つ以上に分配して出力する光送信部側光分配部とを備え、
前記光増幅分配部は、
前記光送信部又は前段の他の前記光増幅分配部が出力した光信号の一つを入力し、複数に分配して出力する入力光分配部と、
前記入力光分配部が出力した複数の前記光信号のそれぞれを入力し、光パワーを増幅して出力する複数の光増幅部と、
対応する前記光増幅部が出力した前記光信号を入力し、複数に分配して出力する複数の光分配部と、
複数の前記光分配部それぞれが出力した前記光信号から選択した一つの光信号を出力する複数の光スイッチと、
対応する前記光スイッチが出力した前記光信号の一部の光パワーを分配する複数のモニタ用光分配部と、
対応する前記モニタ用光分配部が分配した一方の前記光信号をモニタした結果得られた情報を基に、対応する前記光スイッチによる光信号の選択を制御する複数の制御部とを備え、
最終段の前記光増幅分配部が備える前記モニタ用光分配部は、他方の前記光信号を下位のネットワークに送出する、
ことを特徴とする収容局装置。
【請求項６】
受信した信号から生成した光信号を出力する光送信部と、
前記光信号の増幅及び分岐を行う階層化された１以上の光増幅分配部とを備え、
前記光送信部は、
上位のネットワークから受信した複数に冗長化された信号を終端し、終端した前記信号のうち受信品質に基づいて選択した信号を出力する信号終端選択部と、
前記信号終端選択部が出力した前記信号から下位のネットワークに用いられる信号形式の光信号を生成し、出力する光信号生成部と、
前記光信号生成部が出力した前記光信号を一つ以上に分配して出力する光送信部側光分配部とを備え、
前記光増幅分配部は、
前記光送信部又は前段の前記光増幅分配部が出力した複数の前記光信号のそれぞれを入力し、入力した前記光信号の光パワーを増幅する複数の光増幅部と、
複数の前記光増幅部それぞれが出力した前記光信号から選択した複数の運用系の光信号と１以上の予備系の光信号を出力する光スイッチと、
前記光スイッチが出力した複数の運用系の前記光信号のそれぞれを入力し、入力した前記光信号の一部の光パワーを分配する複数のモニタ用光分配部と、
前記光スイッチが出力した予備系の前記光信号と、複数の前記モニタ用光分配部が分配した一方の前記光信号とをモニタした結果得られた情報を基に前記光スイッチによる運用系の光信号の選択を制御する制御部と、
対応する前記モニタ用光分配部が出力した他方の前記光信号を一つ以上の出力に分配する複数の光分配部とを備え、
最終段の前記光増幅分配部が備える複数の前記光分配部は、分配した前記光信号を下位のネットワークに送出する、
ことを特徴とする収容局装置。
【請求項７】
受信した信号から生成した光信号を出力する光送信部と、
前記光信号の増幅及び分岐を行う階層化された１以上の光増幅分配部とを備え、
前記光送信部は、
上位のネットワークから受信した複数に冗長化された信号を終端し、終端した前記信号のうち受信品質に基づいて選択した信号を出力する信号終端選択部と、
前記信号終端選択部が出力した前記信号から下位のネットワークに用いられる信号形式の光信号を生成し、出力する光信号生成部と、
前記光信号生成部が出力した前記光信号を一つ以上に分配して出力する光送信部側光分配部とを備え、
前記光増幅分配部は、
前記光送信部又は前段の他の前記光増幅分配部が出力した前記光信号を一つ入力し、入力した前記光信号の光パワーを増幅する複数の光増幅部と、
対応する前記光増幅部が出力した前記光信号を複数に分配して出力する複数の光分配部と、
対応する運用系の前記光分配部が分配した複数の前記光信号のうち一つと、予備系の前記光分配部が分配した複数の前記光信号のうち一つとから選択した一つの光信号を出力する複数の光スイッチと、
対応する前記光スイッチが出力した前記光信号の一部の光パワーを分配する複数のモニタ用光分配部と、
複数の前記モニタ用光分配部それぞれが分配した一方の前記光信号と、予備系の前記光分配部が出力した前記光信号のうちの一つとをモニタした結果得られた情報を基に複数の前記光スイッチによる光信号の選択を制御する制御部とを備え、
最終段の前記光増幅分配部が備える前記モニタ用光分配部は、他方の前記光信号を下位のネットワークに送出する、
ことを特徴とする収容局装置。
【請求項８】
前記光分配部は、前記モニタ用光分配部の機能を兼ね備える、
ことを特徴とする請求項２から請求項７のいずれか一項に記載の収容局装置。
【発明の詳細な説明】
【技術分野】
【０００１】
本発明は、収容局装置に関する。
【背景技術】
【０００２】
アクセスネットワークにおいて、映像コンテンツなどを効率的に配信する方式として、光増幅器を用いて光パワーを増大させた光信号を、複数のＰＯＮ（Passive Optical Network：受動光ネットワーク）に分配する方式がある（例えば、非特許文献１、非特許文献２参照）。
【０００３】
非特許文献１にあるように、１つの送信源からの出力光信号を基に、複数段の光増幅器及び光分岐器（光スプリッタ）を介して多数の光信号出力を得た後に、それぞれの光信号をＰＯＮと呼ばれる３２分岐などの１対多のスター型トポロジの伝送路に送出する。このような構成により、単一のＯＬＴ（Optical Line Terminal）で非常に多くのＯＮＵ（Optical Network Unit）を収容することができることから、ＯＬＴの装置コストを複数ユーザで分担し、経済的なシステムを構成できる。
【０００４】
また、非特許文献２では、ＯＬＴにおける冗長化構成が示されている。図１２に、上位の中継ネットワークからの２系統の光信号を受信し、受信した２系統の中から選択した系の光信号をアクセスネットワークに分配するＯＬＴの構成例を示す。この構成では、ＯＬＴは、中継増幅部において、受信した光信号を終端することなく、光増幅部で光パワーを増幅した後に、光分配部で複数の光信号に分配して出力した後、それぞれの光分配部の１つの出力を信号選択部に入力する。信号選択部では、良好な受信品質の系統の光信号を選択して、後段の光増幅／分配部に出力する。なお、同図では、ＯＬＴが光増幅／分配部を２段備えているが、３段以上でもよい。
【０００５】
このような構成により、中継増幅部の２つの光増幅部のどちらかに故障が発生しても、信号選択部でこれを検出し、他系統の光信号に切り替えることで、サービス影響を最小限に抑えることができる。特に、光増幅により単一のＯＬＴで多数のＯＮＵを収容するシステムにおいては、光増幅器の故障による影響範囲が大きいため、前記のような冗長構成は重要である。
【０００６】
非特許文献１、２の例では、ＲＦ（Radio Frequency：無線周波数）信号である映像コンテンツを光アナログ伝送し、ＯＮＵまでの間に光信号を終端せずに伝送するシステムについて示されている。一方、非特許文献３では、ディジタルベースバンド形式の映像コンテンツを光ディジタル伝送し、中継ネットワークを介してＯＬＴで受信した際に一旦終端し、必要に応じて３Ｒ（等化増幅、識別再生及びリタイミング）処理を行った上で、アクセス区間に配信する構成が示されている。
【０００７】
この構成によれば、一旦、ＯＬＴで中継ネットワークからの光信号を終端し、アクセス区間に適した形式（波長、変調方式など）で配信できるため、ＯＮＵで優れた受信品質が期待できる。また、光アナログ伝送に比べて光ディジタル伝送ではＯＮＵにおける受信感度が高く、ＯＬＴから各ＰＯＮ区間に送出する光パワーを低減させることができるため、光増幅器の後段でより多くの出力に分配することができる。これにより、光アナログ伝送のシステムに比べて、単一のＯＬＴが収容できるＯＮＵ数を増加させることが期待できる。
【先行技術文献】
【非特許文献】
【０００８】
【非特許文献１】一般社団法人  日本CATV技術協会標準規格、「FTTH型ケーブルテレビシステム  光ネットワークとその機器」、一般社団法人  日本CATV技術協会、JCTEA STD-014-5.0、2013年8月
【非特許文献２】「4.高信頼、かつ、経済的な広域映像配信を実現」、2004年、［online］、NTTアクセスサービス研究所、ANSL R&D Times、第40号、［2016年8月3日検索］、インターネット、〈URL：http://www.ansl.ntt.co.jp/j/times/040/02/04.html〉
【非特許文献３】清水  秀和、藤原  稔久、下羽  利明、吉永  尚生、須川  智規、「FM一括変換信号とディジタルベースバンド信号との波長多重伝送における中継網とアクセス網の結合実験」、一般社団法人  電子情報通信学会、2016年電子情報通信学会総合大会、2016年3月、B-8-20、p.219
【発明の概要】
【発明が解決しようとする課題】
【０００９】
今後、映像コンテンツなどの配信においてＲＦ配信からＩＰ（Internet Protocol）配信へシフトしてゆくことを考慮すると、非特許文献３に記載されるような光ディジタル伝送を行い、収容局装置であるＯＬＴにおいて光増幅器を用いて、ユーザ宅側装置である多数のＯＮＵに効率的に配信するアクセスシステムが期待される。
【００１０】
また、このようなシステムにおいては、前述のように、ＯＬＴにおいて一旦信号を終端した後にアクセス区間に適した形式の光信号で配信することで、単一のＯＬＴでより一層多くのＯＮＵを収容できる可能性があり、非特許文献２に示されているような冗長構成が重要である。
【００１１】
しかし、光ディジタル伝送された映像コンテンツなどの信号を、中継ネットワークを介して受信したＯＬＴにおいて一旦終端した上で、アクセス区間に配信するＯＬＴの冗長構成は明らかにされていなかった。
【００１２】
上記事情に鑑み、本発明は、冗長構成を有し、信号を終端してから配信することができる収容局装置を提供することを目的としている。
【課題を解決するための手段】
【００１３】
本発明の一態様は、受信した信号から生成した光信号を出力する光送信部と、前記光信号の増幅及び分岐を行う階層化された１以上の光増幅分配部とを備え、前記光送信部は、上位のネットワークから受信した複数に冗長化された信号を終端し、終端した前記信号のうち受信品質に基づいて選択した信号を出力する信号終端選択部と、前記信号終端選択部が出力した前記信号から下位のネットワークに用いられる信号形式の光信号を生成し、出力する光信号生成部と、前記光信号生成部が出力した前記光信号を一つ以上に分配して出力する光送信部側光分配部とを備え、前記光増幅分配部は、前記光送信部又は前段の他の前記光増幅分配部が出力した光信号を一つ入力し、光パワーを増幅して出力する光増幅部と、前記光増幅部が出力した前記光信号を複数に分配して出力する光増幅分配部側光分配部とを備え、最終段の前記光増幅分配部が備える前記光増幅分配部側光分配部は、分配した前記光信号を下位のネットワークに送出する、収容局装置である。
【００１４】
本発明の一態様は、受信した信号から生成した光信号を出力する光送信部と、前記光信号の増幅及び分岐を行う階層化された１以上の光増幅分配部とを備え、前記光送信部は、上位のネットワークから受信した複数に冗長化された信号をそれぞれ終端する複数の信号終端部と、対応する前記信号終端部が終端した前記信号から下位のネットワークに用いられる信号形式の光信号を生成し、出力する複数の光信号生成部と、複数の前記光信号生成部が出力した前記光信号から選択した一つの光信号を出力する光スイッチと、前記光スイッチが出力した前記光信号の一部の光パワーを分配するモニタ用光分配部と、前記モニタ用光分配部が分配した一方の前記光信号をモニタした結果得られた情報を基に前記光スイッチによる光信号の選択を制御する制御部と、前記モニタ用光分配部が分配した他方の前記光信号を一つ以上に分配して出力する光分配部とを備え、前記光増幅分配部は、前記光送信部又は前段の他の前記光増幅分配部が出力した光信号を一つ入力し、光パワーを増幅して出力する光増幅部と、前記光増幅部が出力した前記光信号を複数に分配して出力する光増幅分配部側光分配部とを備え、最終段の前記光増幅分配部が備える前記光増幅分配部側光分配部は、分配した前記光信号を下位のネットワークに送出する、収容局装置である。
【００１５】
本発明の一態様は、受信した信号から生成した光信号を出力する光送信部と、前記光信号の増幅及び分岐を行う階層化された１以上の光増幅分配部とを備え、前記光送信部は、上位のネットワークから受信した複数に冗長化された信号を終端し、終端した前記信号のうち受信品質に基づいて選択した信号を出力する信号終端選択部と、前記信号終端選択部が出力した前記信号を複数に分配して出力する信号分配部と、前記信号分配部が出力した複数の前記信号をそれぞれ入力し、入力した前記信号から下位のネットワークに用いられる信号形式の光信号を生成し、出力する複数の光信号生成部と、複数の前記光信号生成部それぞれが出力した前記光信号から選択した一つの光信号を出力する光スイッチと、前記光スイッチが出力した前記光信号の一部の光パワーを分配するモニタ用光分配部と、前記モニタ用光分配部が分配した一方の前記光信号をモニタした結果得られた情報を基に前記光スイッチによる光信号の選択を制御する制御部と、前記モニタ用光分配部が分配した他方の前記光信号を一つ以上に分配して出力する光分配部とを備え、前記光増幅分配部は、前記光送信部又は前段の他の前記光増幅分配部が出力した光信号を一つ入力し、光パワーを増幅して出力する光増幅部と、前記光増幅部が出力した前記光信号を複数に分配して出力する光増幅分配部側光分配部とを備え、最終段の前記光増幅分配部が備える前記光増幅分配部側光分配部は、分配した前記光信号を下位のネットワークに送出する、収容局装置である。
【００１６】
本発明の一態様は、受信した信号から生成した光信号を出力する光送信部と、前記光信号の増幅及び分岐を行う階層化された１以上の光増幅分配部とを備え、前記光送信部は、上位のネットワークから受信した複数に冗長化された信号を終端し、終端した前記信号のうち受信品質に基づいて選択した信号を出力する信号終端選択部と、前記信号終端選択部が出力した前記信号から下位のネットワークに用いられる信号形式の光信号を生成し、出力する光信号生成部と、前記光信号生成部が出力した前記光信号を一つ以上に分配して出力する光送信部側光分配部とを備え、前記光増幅分配部は、前記光送信部又は前段の他の前記光増幅分配部が出力した前記光信号を一つ入力し、複数に分配して出力する入力光分配部と、前記入力光分配部が出力した複数の前記光信号それぞれを入力し、光パワーを増幅して出力する複数の光増幅部と、複数の前記光増幅部それぞれが出力した前記光信号から選択した一つの光信号を出力する光スイッチと、前記光スイッチが出力した前記光信号の一部の光パワーを分配するモニタ用光分配部と、前記モニタ用光分配部が分配した一方の前記光信号をモニタした結果得られた情報を基に前記光スイッチによる光信号の選択を制御する制御部と、前記モニタ用光分配部が分配した他方の前記光信号を１以上に分配して出力する光分配部とを備え、最終段の前記光増幅分配部が備える前記光分配部は、分配した前記光信号を下位のネットワークに送出する、収容局装置である。
【００１７】
本発明の一態様は、受信した信号から生成した光信号を出力する光送信部と、前記光信号の増幅及び分岐を行う階層化された１以上の光増幅分配部とを備え、前記光送信部は、上位のネットワークから受信した複数に冗長化された信号を終端し、終端した前記信号のうち受信品質に基づいて選択した信号を出力する信号終端選択部と、前記信号終端選択部が出力した前記信号から下位のネットワークに用いられる信号形式の光信号を生成し、出力する光信号生成部と、前記光信号生成部が出力した前記光信号を一つ以上に分配して出力する光送信部側光分配部とを備え、前記光増幅分配部は、前記光送信部又は前段の他の前記光増幅分配部が出力した光信号の一つを入力し、複数に分配して出力する入力光分配部と、前記入力光分配部が出力した複数の前記光信号のそれぞれを入力し、光パワーを増幅して出力する複数の光増幅部と、対応する前記光増幅部が出力した前記光信号を入力し、複数に分配して出力する複数の光分配部と、複数の前記光分配部それぞれが出力した前記光信号から選択した一つの光信号を出力する複数の光スイッチと、対応する前記光スイッチが出力した前記光信号の一部の光パワーを分配する複数のモニタ用光分配部と、対応する前記モニタ用光分配部が分配した一方の前記光信号をモニタした結果得られた情報を基に、対応する前記光スイッチによる光信号の選択を制御する複数の制御部とを備え、最終段の前記光増幅分配部が備える前記モニタ用光分配部は、他方の前記光信号を下位のネットワークに送出する、収容局装置である。
【００１８】
本発明の一態様は、受信した信号から生成した光信号を出力する光送信部と、前記光信号の増幅及び分岐を行う階層化された１以上の光増幅分配部とを備え、前記光送信部は、上位のネットワークから受信した複数に冗長化された信号を終端し、終端した前記信号のうち受信品質に基づいて選択した信号を出力する信号終端選択部と、前記信号終端選択部が出力した前記信号から下位のネットワークに用いられる信号形式の光信号を生成し、出力する光信号生成部と、前記光信号生成部が出力した前記光信号を一つ以上に分配して出力する光送信部側光分配部とを備え、前記光増幅分配部は、前記光送信部又は前段の前記光増幅分配部が出力した複数の前記光信号のそれぞれを入力し、入力した前記光信号の光パワーを増幅する複数の光増幅部と、複数の前記光増幅部それぞれが出力した前記光信号から選択した複数の運用系の光信号と１以上の予備系の光信号を出力する光スイッチと、前記光スイッチが出力した複数の運用系の前記光信号のそれぞれを入力し、入力した前記光信号の一部の光パワーを分配する複数のモニタ用光分配部と、前記光スイッチが出力した予備系の前記光信号と、複数の前記モニタ用光分配部が分配した一方の前記光信号とをモニタした結果得られた情報を基に前記光スイッチによる運用系の光信号の選択を制御する制御部と、対応する前記モニタ用光分配部が出力した他方の前記光信号を一つ以上の出力に分配する複数の光分配部とを備え、最終段の前記光増幅分配部が備える複数の前記光分配部は、分配した前記光信号を下位のネットワークに送出する、収容局装置である。
【００１９】
本発明の一態様は、受信した信号から生成した光信号を出力する光送信部と、前記光信号の増幅及び分岐を行う階層化された１以上の光増幅分配部とを備え、前記光送信部は、上位のネットワークから受信した複数に冗長化された信号を終端し、終端した前記信号のうち受信品質に基づいて選択した信号を出力する信号終端選択部と、前記信号終端選択部が出力した前記信号から下位のネットワークに用いられる信号形式の光信号を生成し、出力する光信号生成部と、前記光信号生成部が出力した前記光信号を一つ以上に分配して出力する光送信部側光分配部とを備え、前記光増幅分配部は、前記光送信部又は前段の他の前記光増幅分配部が出力した前記光信号を一つ入力し、入力した前記光信号の光パワーを増幅する複数の光増幅部と、対応する前記光増幅部が出力した前記光信号を複数に分配して出力する複数の光分配部と、対応する運用系の前記光分配部が分配した複数の前記光信号のうち一つと、予備系の前記光分配部が分配した複数の前記光信号のうち一つとから選択した一つの光信号を出力する複数の光スイッチと、対応する前記光スイッチが出力した前記光信号の一部の光パワーを分配する複数のモニタ用光分配部と、複数の前記モニタ用光分配部それぞれが分配した一方の前記光信号と、予備系の前記光分配部が出力した前記光信号のうちの一つとをモニタした結果得られた情報を基に複数の前記光スイッチによる光信号の選択を制御する制御部とを備え、最終段の前記光増幅分配部が備える前記モニタ用光分配部は、他方の前記光信号を下位のネットワークに送出する、収容局装置である。
【００２０】
本発明の一態様は、上述の収容局装置であって、前記光分配部は、前記モニタ用光分配部の機能を兼ね備える。
【発明の効果】
【００２１】
本発明により、冗長構成を有し、信号を終端してから配信する収容局装置を提供することができる。
【図面の簡単な説明】
【００２２】
【図１】本発明の第１の実施形態によるデータ配信システムの全体構成を示す図である。
【図２】同実施形態によるＯＬＴの構成を示す機能ブロック図である。
【図３】第２の実施形態による光送信部の構成を示す機能ブロック図である。
【図４】第３の実施形態による光送信部の構成を示す機能ブロック図である。
【図５】第４の実施形態による光増幅／分配部の構成を示す機能ブロック図である。
【図６】第５の実施形態による光増幅／分配部の構成を示す機能ブロック図である。
【図７】第６の実施形態による光増幅／分配部群の構成を示す機能ブロック図である。
【図８】第７の実施形態による光増幅／分配部群の構成を示す機能ブロック図である。
【図９】第８の実施形態による光送信部の構成を示す機能ブロック図である。
【図１０】同実施形態による光増幅／分配部の構成を示す機能ブロック図である。
【図１１】同実施形態による光増幅／分配部の構成を示す機能ブロック図である。
【図１２】従来技術によるＯＬＴの構成図である。
【発明を実施するための形態】
【００２３】
以下、図面を参照しながら本発明の実施形態を詳細に説明する。
本発明の実施形態は、収容局装置であるＯＬＴ（Optical Line Terminal）とユーザ宅側装置である複数のＯＮＵ（Optical Network Unit）とを光スプリッタを介して接続したＰＯＮ（Passive Optical Network）システムをアクセスネットワークとして用い、ＯＬＴが有する光増幅器により光信号を増幅して、映像コンテンツなどのデータを効率的に配信する光信号分配用システムに適用される。
【００２４】
（第１の実施形態）
図１は、本実施形態のデータ配信システム１の全体構成を示す図である。データ配信システム１は、例えば、アクセスネットワークにおいてＰＯＮシステムを用いて映像コンテンツなどのデータを配信する光信号分配用システムである。データ配信システム１は、中継ネットワーク１１により接続された代表光送信部１０とアクセスネットワーク２０とを備える。アクセスネットワーク２０は、ＰＯＮと呼ばれる１対多のスター型の光ファイバネットワークであり、ＯＬＴ３０と、光スプリッタ４０と、ＯＮＵ５０とを備える。ＯＬＴ３０は、光スプリッタ４０を介して複数のＯＮＵ５０と接続される。同図では、ＯＬＴ３０を１台のみ示しているが、ＯＬＴ３０の数は任意とすることができる。
【００２５】
代表光送信部１０は、映像コンテンツなどのデータを光信号に変換する。代表光送信部１０により変換された光信号は、中継ネットワーク１１（上位のネットワーク）を介して１以上のＯＬＴ３０に配信される。ＯＬＴ３０は、１対多のスター型の光ファイバネットワーク（下位のネットワーク）であるＰＯＮを介して、代表光送信部１０から受信した光信号を複数のＯＮＵ５０に配信する。代表光送信部１０から各ＯＬＴ３０までの間はＬ系統（Ｌは２以上の整数）で冗長化されている。以下では、代表光送信部１０から各ＯＬＴ３０までの間が０系、１系の２系統（Ｌ＝２）で冗長化されている場合を例に説明する。
【００２６】
図２は、本実施形態のＯＬＴ３０の構成を示す機能ブロック図であり、本実施形態と関係する機能ブロックのみを抽出して示してある。ＯＬＴ３０は、光送信部３１０と、１段以上の光増幅／分配部３５０を備える。ｉ段目（ｉは１以上の整数）の光増幅／分配部３５０を、光増幅／分配部３５０−ｉと記載する。
【００２７】
光送信部３１０は、信号終端／選択部３１０１と、光信号生成部３１０２とを備える。
信号終端／選択部３１０１は、上位の中継ネットワーク１１を介して受信した複数系統に冗長化された光信号を終端する。なお、光送信部３１０は、冗長化された電気信号を終端してもよい。信号終端／選択部３１０１は、受信したＬ系統の光信号又は電気信号それぞれの受信品質を確認した上で、良好な受信品質の系統の信号を選択し、選択した信号を光信号生成部３１０２に出力する。信号終端／選択部３１０１が信号を選択する根拠として用いる受信品質としては、光パワーを採用してもよく、予め代表光送信部１０からの光信号のデータの一部に設定されたモニタ用信号のＣＮＲ（Carrier to Noise Ratio；搬送波対雑音比）やＢＥＲ（Bit error rate；符号誤り率）などのモニタ信号品質を採用してもよい。
【００２８】
光信号生成部３１０２は、信号終端／選択部３１０１が出力した信号を入力し、入力した信号を、アクセスネットワーク２０（アクセス区間）に配信する形式（波長、変調方式、フレームフォーマット）の光信号に変換して送出する。
【００２９】
光送信部３１０は、さらに、光分配部３１０３を備えてもよい。光分配部３１０３は、例えば、光スプリッタなどである。光分配部３１０３は、光信号生成部３１０２から入力した光信号を、２以上の複数の光信号に分岐して出力する。
【００３０】
光増幅／分配部３５０は、光増幅部３５０１と、光分配部３５０２とを備える。光増幅／分配部３５０−１は、光送信部３１０から出力された光信号を入力し、光増幅／分配部３５０−（ｉ＋１）は、光増幅／分配部３５０−ｉから出力された光信号を入力する。
【００３１】
光増幅部３５０１は、ＥＤＦＡ（エルビウムドープトファイバー増幅器）などに代表される光ファイバ増幅器である。光増幅部３５０１は、入力した光信号の光パワーを増幅し、光分配部３５０２に出力する。
【００３２】
光分配部３５０２は、例えば、光スプリッタなどである。光分配部３５０２は、光増幅部３５０１が増幅した光信号を入力し、複数の光信号に分岐して後段の光増幅／分配部３５０に出力する。なお、最後の段の光増幅／分配部３５０（同図のように２段であれば、光増幅／分配部３５０−２）が備える光分配部３５０２は、分岐した複数の光信号をそれぞれ光スプリッタ４０に出力する。
【００３３】
光増幅／分配部３５０を複数段設けることにより、一定の光信号のＳＮＲ（signal-to-noise ratio；信号対雑音比）を維持しつつ、多数の出力の光信号を得ることができる。
【００３４】
図２に示す第１の実施形態のＯＬＴ３０は、中継ネットワーク１１を介して受信した光信号（又は電気信号）をＯＬＴ３０で一旦終端して、アクセスネットワーク２０に適した形式の光信号で配信する構成である。中継ネットワーク１１から受信する複数系統の光信号の一部が障害のためにＯＬＴ３０において一定の受信品質が得られない場合でも、光送信部３１０の信号終端／選択部３１０１が、後段に出力する光信号を、良好な受信品質が得られている系統の光信号に切り替えることで、サービス影響を最小限に抑えることができる。従って、信頼性の高いＰＯＮシステムを実現できる。
【００３５】
なお、信号終端／選択部３１０１が、中継ネットワーク１１を介して配信されてきた複数系統の光信号をそれぞれ電気信号に変換して受信した後に、電気信号を選択する場合には、各系統別に中継ネットワーク１１を介して配信された光信号を受信する受信部を設け、各受信部に各系統の遅延差調整用のメモリを具備する構成も考えられる。伝送される信号がパケットベースの形態であれば、受信部にメモリを具備することにより、信号終端／選択部３１０１における切替をパケットロスなく無瞬断で実施できる。
【００３６】
（第２の実施形態）
第１の実施形態では、ＯＬＴ３０が備える光送信部３１０は、一つの光信号生成部３１０２のみを備えていた。本実施形態の光送信部は、複数の光信号生成部を備え、冗長化される。
【００３７】
本実施形態の光信号分配用システムの構成は、図１に示す第１の実施形態のデータ配信システム１と同様である。ただし、ＯＬＴ３０は、図２に示す光送信部３１０に代えて、図３に示す光送信部３１１を設けた構成である。
【００３８】
図３は、本実施形態による光送信部３１１の構成を示す機能ブロック図であり、本実施形態と関係する機能ブロックのみを抽出して示してある。同図において、図２に示す第１の実施形態のＯＬＴ３０が備える光送信部３１０と同一の部分には同一の符号を付し、その説明を省略する。 
【００３９】
光送信部３１１は、Ｌ個（Ｌは２以上の整数）の信号終端部３１１１と、Ｌ個の光信号生成部３１１２と、光スイッチ３１１３と、モニタ用光分配部３１１４と、光モニタ／切替制御部３１１５とを備える。ここでは、Ｌ＝２とし、２個の信号終端部３１１１をそれぞれ、信号終端部３１１１−１、３１１１−２と記載し、２個の光信号生成部３１１２をそれぞれ、光信号生成部３１１２−１、３１１２−２と記載している。光送信部３１１は、さらに、光分配部３１０３を備えてもよい。
【００４０】
中継ネットワーク１１を介して受信したＬ系統に冗長化された光信号は、各系統の信号終端部３１１１と光信号生成部３１１２により、それぞれアクセスネットワーク２０に配信する形式の光信号に変換される。すなわち、信号終端部３１１１−ｌは、ｌ番目の系統（ｌは１以上Ｌ以下の整数）の光信号又は電気信号を終端する。光信号生成部３１１２−ｌは、信号終端部３１１１−ｌが終端した信号を入力し、入力した信号を、アクセスネットワーク２０（アクセス区間）に配信する形式（波長、変調方式、フレームフォーマット）の光信号に変換して、光スイッチ３１１３に出力する。
【００４１】
光スイッチ３１１３は、光スイッチ３１１３の出力光信号の一部をモニタした結果を基に、光信号生成部３１１２−１、３１１２−２のそれぞれから入力した複数の光信号のうち、出力する一つの光信号を選択する。このモニタ及び制御は、光モニタ／切替制御部３１１５が行う。光スイッチ３１１３は、選択した光信号をモニタ用光分配部３１１４に出力する。
【００４２】
モニタ用光分配部３１１４は、光スイッチ３１１３から入力した光信号のパワーの一部を分岐する。モニタ用光分配部３１１４は、分岐した光信号のパワーを光モニタ／切替制御部３１１５に出力し、分岐した残りの光信号を後段に出力する。具体的には、光送信部３１１が光分配部３１０３を備える場合、モニタ用光分配部３１１４は、分岐した光信号のパワーを光モニタ／切替制御部３１１５に出力し、残りの光信号を光分配部３１０３に出力する。光送信部３１１が光分配部３１０３を備えない場合、モニタ用光分配部３１１４は、分岐した光信号のパワーを光モニタ／切替制御部３１１５に出力し、残りの光信号を光増幅／分配部３５０−１に出力する。
【００４３】
光モニタ／切替制御部３１１５は、モニタ用光分配部３１１４から入力した光信号をモニタする。モニタする品質としては、光パワーを採用してもよく、光信号のデータの一部に含まれるモニタ用信号のＣＮＲやＢＥＲなどのモニタ信号品質を採用してもよい。光モニタ／切替制御部３１１５は、モニタした結果を基に光スイッチ３１１３における光信号の選択を制御する。
【００４４】
本実施形態によれば、アクティブ部品である光信号生成部３１１２も冗長化されているため、図２に示す第１の実施形態の構成と比べて、更に信頼性の高いＰＯＮシステムを実現できる。
【００４５】
（第３の実施形態）
本実施形態は、ＯＬＴ３０内の光送信部における光信号生成部の冗長化について、第２の実施形態とは異なる構成を示す。
【００４６】
本実施形態の光信号分配用システムの構成は、図１に示す第１の実施形態のデータ配信システム１と同様である。ただし、ＯＬＴ３０は、図２に示す光送信部３１０に代えて、図４に示す光送信部３１２を設けた構成である。
【００４７】
図４は、本実施形態による光送信部３１２の構成を示す機能ブロック図であり、本実施形態と関係する機能ブロックのみを抽出して示してある。同図において、図２に示す第１の実施形態のＯＬＴ３０が備える光送信部３１０、図３に示す第２の実施形態の光送信部３１１と同一の部分には同一の符号を付し、その説明を省略する。
【００４８】
光送信部３１２は、信号終端／選択部３１０１と、信号分配部３１２１と、Ｋ個（Ｋは２以上の整数）の光信号生成部３１２２と、光スイッチ３１１３と、モニタ用光分配部３１１４と、光モニタ／切替制御部３１１５とを備える。ｋ番目（ｋは１以上Ｋ以下の整数）の光信号生成部３１２２を光信号生成部３１２２−ｋと記載する。ここでは、Ｋ＝２とし、２個の光信号生成部３１２２をそれぞれ、光信号生成部３１２２−１、３１２２−２と記載している。光送信部３１１は、さらに、光分配部３１０３を備えてもよい。
【００４９】
第１の実施形態と同様に、単一の信号終端／選択部３１０１が、中継ネットワーク１１を介して受信したＬ系統（Ｌは２以上の整数）に冗長化された光信号又は電気信号の中から、良好な受信品質の光信号又は電気信号を選択する。信号終端／選択部３１０１は、選択した信号を信号分配部３１２１に出力する。
【００５０】
信号分配部３１２１は、光スプリッタや電気信号スプリッタなどである。信号分配部３１２１は、信号終端／選択部３１０１から入力した光信号又は電気信号を複数の出力に分配し、それぞれをＫ個の光信号生成部３１２２−１〜３１２２−Ｋに出力する。
【００５１】
光信号生成部３１２２−１〜３１２２−Ｋから後段の動作は、第２の実施形態における光信号生成部３１１２から後段の動作と同様である。すなわち、光信号生成部３１２２−１〜３１２２−Ｋはそれぞれ、入力した信号をアクセスネットワーク２０（アクセス区間）に配信する形式の光信号に変換して、光スイッチ３１１３に出力する。光スイッチ３１１３は、光モニタ／切替制御部３１１５による出力光信号の一部のモニタ結果を基に、光信号生成部３１２２−１〜３１２２−Ｋから入力した複数の光信号のうち、出力する一つの光信号を選択する。モニタ用光分配部３１１４は、光スイッチ３１１３が選択した光信号のパワーの一部を分岐し、分岐した光信号を光モニタ／切替制御部３１１５に出力し、分岐した残りの光信号を光分配部３１０３又は光増幅／分配部３５０−１に出力する。
【００５２】
本実施形態によれば、図３に示す第２の実施形態の構成と同様に、アクティブ部品である光信号生成部も冗長化しつつ、中継ネットワークを介して受信する光信号の終端部を単一の機能部に集約しているため、図３に示す第２の実施形態の構成に比べて、簡素な構成のＰＯＮシステムを実現できる。
【００５３】
（第４の実施形態）
第１の実施形態では、ＯＬＴ３０内の各光増幅／分配部３５０は、一つの光増幅部３５０１のみを備えていた。本実施形態の光増幅／分配部は、複数の光増幅部を備え、冗長化される。
【００５４】
本実施形態の光信号分配用システムの構成は、図１に示す第１の実施形態のデータ配信システム１と同様である。ただし、ＯＬＴ３０は、図２に示す各段の光増幅／分配部３５０に代えて、図５に示す光増幅／分配部３５１を設けた構成である。
【００５５】
図５は、本実施形態による光増幅／分配部３５１の構成を示す機能ブロック図であり、本実施形態と関係する機能ブロックのみを抽出して示してある。同図において、図２に示す第１の実施形態のＯＬＴ３０が備える光増幅／分配部３５０と同一の部分には同一の符号を付し、その説明を省略する。
【００５６】
光増幅／分配部３５１は、光分配部３５１１と、Ｋ個（Ｋは２以上の整数）の光増幅部３５１２と、光スイッチ３５１３と、モニタ用光分配部３５１４と、光モニタ／切替制御部３５１５と、光分配部３５０２とを備える。ｋ番目（ｋは１以上Ｋ以下の整数）の光増幅部３５１２を光増幅部３５１２−ｋと記載する。ここでは、Ｋ＝２とし、２個の光増幅部３５１２をそれぞれ、光増幅部３５１２−１、３５１２−２と記載している。
【００５７】
光分配部３５１１は、光スプリッタなどである。光分配部３５１１は、前段の光送信部３１０、又は、前段の光増幅／分配部３５１から入力した光信号を複数の出力に分配し、分配した光信号をそれぞれ光増幅部３５１２−１〜３５１２−Ｋに出力する。光増幅部３５１２−１〜３５１２−Ｋはそれぞれ、光分配部３５１１から入力した光信号の光パワーを増幅し、光スイッチ３５１３に出力する。
【００５８】
光増幅部３５１２−１〜３５１２−Ｋから後段の構成は、第２の実施形態の光送信部３１１における光信号生成部３１１２から後段の動作と同様である。すなわち、光スイッチ３５１３は、光モニタ／切替制御部３５１５による出力光信号の一部のモニタ結果を基に、光増幅部３５１２−１〜３５１２−Ｋのそれぞれから入力した複数の光信号のうち、出力する一つの光信号を選択する。モニタ用光分配部３５１４は、光スイッチ３５１３が選択した光信号のパワーの一部を分岐し、分岐した光信号を光モニタ／切替制御部３５１５に出力し、分岐した残りの光信号を光分配部３５０２に出力する。光モニタ／切替制御部３５１５は、モニタ用光分配部３５１４から入力した光信号をモニタし、モニタ結果を基に光スイッチ３５１３における光信号の選択を制御する。光分配部３５０２は、モニタ用光分配部３５１４から入力した光信号を複数の光信号に分岐して後段に出力する。
【００５９】
本実施形態によれば、アクティブ部品である光増幅部３５１２が冗長化されているため、図２に示す構成に比べて、更に信頼性の高いＰＯＮシステムを実現できる。
【００６０】
（第５の実施形態）
本実施形態は、ＯＬＴ３０内の光増幅／分配部における光増幅部の冗長化について、第４の実施形態とは異なる構成を示す。
【００６１】
本実施形態の光信号分配用システムの構成は、図１に示す第１の実施形態のデータ配信システム１と同様である。ただし、ＯＬＴ３０は、図２に示す各段の光増幅／分配部３５０に代えて、図６に示す光増幅／分配部３５２を設けた構成である。
【００６２】
図６は、本実施形態による光増幅／分配部３５２の構成を示す機能ブロック図であり、本実施形態と関係する機能ブロックのみを抽出して示してある。同図において、図５に示す第４の実施形態の光増幅／分配部３５１と同一の部分には同一の符号を付し、その説明を省略する。
【００６３】
光増幅／分配部３５２は、光分配部３５１１と、Ｋ個（Ｋは２以上の整数）の光増幅部３５１２と、Ｋ個の光分配部３５２１と、Ｊ個（Ｊは２以上の整数）の光スイッチ３５２２と、Ｊ個のモニタ用光分配部３５２３と、Ｊ個の光モニタ／切替制御部３５２４とを備える。ここでは、Ｋ＝２とし、ｋ番目（ｋは１以上Ｋ以下の整数）の光増幅部３５１２、光分配部３５２１をそれぞれ、光増幅部３５１２−ｋ、光分配部３５２１−ｋと記載する。また、ｊ番目（ｊは１以上Ｊ以下の整数）の光スイッチ３５２２、モニタ用光分配部３５２３、光モニタ／切替制御部３５２４をそれぞれ、光スイッチ３５２２−ｊ、モニタ用光分配部３５２３−ｊ、光モニタ／切替制御部３５２４−ｊと記載する。
【００６４】
光分配部３５１１は、前段の光送信部３１０、又は、前段の光増幅／分配部３５２から入力した光信号をＫ個の出力に分配し、分配された光信号をそれぞれ光増幅部３５１２−１〜３５１２−Ｋに出力する。光増幅部３５１２−１〜３５１２−Ｋはそれぞれ、光分配部３５１１から入力した光信号の光パワーを増幅する。光増幅部３５１２−ｋ（ｋは１以上Ｋ以下の整数）は、増幅した光信号を光分配部３５２１−ｋに出力する。光分配部３５２１−１〜３５２１−Ｋはそれぞれ、入力した光信号を分配してＪ個の光スイッチ３５２２に出力する。
【００６５】
各光スイッチ３５２２から後段の動作は、第２の実施形態と同様である。すなわち、光スイッチ３５２２−ｊ（ｊは１以上Ｊ以下の整数）は、光モニタ／切替制御部３５２４−ｊからの出力光信号の一部のパワーのモニタ結果を基に、光分配部３５２１−１〜３５２１−Ｋから入力した複数の光信号のうち、出力する一つの光信号を選択する。モニタ用光分配部３５２３−ｊは、光スイッチ３５２２−ｊが選択した光信号のパワーの一部を分岐し、分岐した光信号を光モニタ／切替制御部３５２４−ｊに出力し、分岐した残りの光信号を後段の光増幅／分配部３５２又は光スプリッタ４０に出力する。光モニタ／切替制御部３５２４−ｊは、モニタ用光分配部３５２３−ｊから入力した光信号をモニタし、モニタ結果を基に光スイッチ３５２２−ｊにおける光信号の選択を制御する。
【００６６】
本実施形態によれば、図５に示す第４の実施形態の構成と同様に、アクティブ部品である光増幅部も冗長化しつつ、後段に出力する複数の光信号のそれぞれに光スイッチを設置するため、図５に示す第４の実施形態の構成に比べて、光スイッチ故障時の影響範囲を制限することができる。
【００６７】
（第６の実施形態）
本実施形態では、ＯＬＴ３０内の各段の光増幅／分配部において、光増幅部のＭ：Ｎ冗長構成を有する。
【００６８】
本実施形態の光信号分配用システムの構成は、図１に示す第１の実施形態のデータ配信システム１と同様である。ただし、ＯＬＴ３０は、図２に示すｉ段目（ｉ＝１，２，…）の複数の光増幅／分配部３５０−ｉに代えて、図７に示す光増幅／分配部群３５３を設けた構成である。
【００６９】
図７は、本実施形態による光増幅／分配部群３５３の構成を示す機能ブロック図であり、本実施形態と関係する機能ブロックのみを抽出して示してある。同図に示す光増幅／分配部群３５３は、（Ｍ＋Ｎ）個の光増幅部３５３１と、光スイッチ３５３２と、Ｍ個のモニタ用光分配部３５３３と、光モニタ／切替制御部３５３４と、Ｍ個の光分配部３５３５とを備える。Ｍは２以上の整数、Ｎは１以上の整数であるが、同図では、Ｎ＝１の場合を示している。また、同図では、運用する各光増幅／分配部に相当する部分を破線で示している。以下では、ｍ個目の光増幅部３５３１、モニタ用光分配部３５３３、光分配部３５３５をそれぞれ、光増幅部３５３１−ｍ、モニタ用光分配部３５３３−ｍ、光分配部３５３５−ｍと記載する。
【００７０】
前段から入力された複数の（Ｍ＋Ｎ）個の光信号はそれぞれ、（Ｍ＋Ｎ）個の光増幅部３５３１−１〜３５３１−（Ｍ＋Ｎ）に入力される。これら（Ｍ＋Ｎ）個の光増幅部３５３１−１〜３５３１−（Ｍ＋Ｎ）は、通常時に現用となるＭ個と、予備用のＮ個（図７では、Ｎ＝１）に分別される。１段目の光増幅／分配部群３５３の場合、前段は光送信部３１０であり、２段目以降の光増幅／分配部群３５３の場合、前段は階層が一つ上の光増幅／分配部群３５３である。（Ｍ＋Ｎ）個の光増幅部３５３１−１〜３５３１−（Ｍ＋Ｎ）が増幅した光信号は、単一の光スイッチ３５３２に出力される。
【００７１】
光スイッチ３５３２は、現用のＭ個の光増幅部３５３１から入力した光信号をそれぞれ、モニタ用光分配部３５３３−１〜３５３３−Ｍに出力する。さらに、光スイッチ３５３２は、予備のＮ個の光増幅部３５３１から入力した光信号を光モニタ／切替制御部３５３４に入力する。
【００７２】
モニタ用光分配部３５３３−１〜３５３３−Ｍはそれぞれ、入力した光信号の光パワーの一部を分岐し、分岐した光信号を光モニタ／切替制御部３５３４に入力し、分岐した残りの光信号を光分配部３５３５−１〜３５３５−Ｍに入力する。
【００７３】
光モニタ／切替制御部３５３４は、Ｍ個の現用のモニタ用光分配部３５３３の出力と、Ｎ個の予備の光増幅部３５３１の出力を入力し、受信品質をモニタする。光モニタ／切替制御部３５３４は、これらＭ＋Ｎ個の光信号の品質を常時モニタしている。受信品質は、例えば、光パワー又はモニタ信号品質（ＣＮＲ／ＢＥＲ）である。光モニタ／切替制御部３５３４は、モニタ結果に基づいて、運用中のＭ個の光信号の一部が障害により一定の受信品質を下回ったことを検出した場合、光スイッチ３５３２を制御し、この制御により、光スイッチ３５３２は、その受信品質を下回った系統の光増幅部３５３１から出力される光信号を、Ｎ個の予備系の光信号のうち良好な受信品質が得られている系統の光増幅部３５３１から出力される光信号に切り替えてモニタ用光分配部３５３３に出力する。
【００７４】
図５および図６では、光増幅部の１：Ｎ冗長構成を示したが、実用上の光増幅部の故障率を考慮すると、予備用の光増幅部の個数が多く、オーバースペックな構成になる可能性もある。一方、本実施形態によれば、図５および図６に示す構成に比べて、予備用の光増幅部３５３１の個数を低減しており、経済的なＰＯＮシステムを実現できる。
【００７５】
（第７の実施形態）
本実施形態は、ＯＬＴ３０内の各段の光増幅／分配部における光増幅部のＭ：Ｎ冗長化について、第６の実施形態とは異なる構成を示している。第６の実施形態では、単一の光スイッチ３５３２を用いていたのに対し、本実施形態では、第５の実施形態と同様に、光増幅／分配からの複数の出力光信号に対応する複数の光スイッチを用いる。
【００７６】
本実施形態の光信号分配用システムの構成は、図１に示す第１の実施形態のデータ配信システム１と同様である。ただし、ＯＬＴ３０は、図２に示すｉ段目（ｉ＝１，２，…）の複数の光増幅／分配部３５０に代えて、図８に示す光増幅／分配部群３５４を設けた構成である。
【００７７】
図８は、本実施形態による光増幅／分配部群３５４の構成を示す機能ブロック図であり、本実施形態と関係する機能ブロックのみを抽出して示してある。同図において、図７に示す第６の実施形態による光増幅／分配部群３５３と同一の部分には同一の符号を付し、その説明を省略する。同図に示す光増幅／分配部群３５４は、（Ｍ＋Ｎ）個の光増幅部３５３１と、（Ｍ＋Ｎ）個の光分配部３５４１と、Ｍ個の光スイッチ３５４２と、Ｍ個のモニタ用光分配部３５４３と、光モニタ／切替制御部３５４４とを備える。Ｍは２以上の整数、Ｎは１以上の整数であるが、同図では、Ｎ＝１の場合を示している。また、同図では、運用する各光増幅／分配部に相当する部分を破線で示している。ｍ個目の光増幅部３５３１、光分配部３５４１、光スイッチ３５４２、モニタ用光分配部３５４３をそれぞれ、光増幅部３５３１−ｍ、光分配部３５４１−ｍ、光スイッチ３５４２−ｍ、モニタ用光分配部３５４３−ｍと記載する。
【００７８】
前段から入力された複数の（Ｍ＋Ｎ）個の光信号はそれぞれ、（Ｍ＋Ｎ）個の光増幅部３５３１−１〜３５３１−（Ｍ＋Ｎ）に入力される。これら（Ｍ＋Ｎ）個の光増幅部３５３１−１〜３５３１−（Ｍ＋Ｎ）は、通常時に現用となるＭ個と、予備用のＮ個（ここではＮ＝１）に分別される。１段目の光増幅／分配部群３５４の場合、前段は光送信部３１０であり、２段目以降の光増幅／分配部群３５４の場合、前段は階層が一つ上の光増幅／分配部群３５４である。光増幅部３５３１−ｍ（ｍは１以上Ｍ＋Ｎ以下の整数）の出力はそれぞれ、光分配部３５４１−ｍに出力される。
【００７９】
現用のＭ個の光分配部３５４１−ｍ（ｍは１以上Ｍ以下の整数）は、光増幅部３５３１−ｍから入力した光信号を光スイッチ３５４２−ｍに出力する。また、予備用のＮ個の光分配部３５４１−ｍ’（ｍ’はＭ＋１以上Ｍ＋Ｎ以下の整数）は、光増幅部３５３１−ｍ’から入力した光信号を光スイッチ３５４２−１〜３５４２−Ｍと、光モニタ／切替制御部３５４４に出力する。
【００８０】
各光スイッチ３５４２−ｍ（ｍは１以上Ｍ以下の整数）は、光モニタ／切替制御部３５４４によるモニタ結果及び制御に従って、光分配部３５４１−ｍから入力した一つの光信号と、光分配部３５４１−ｍ’（ｍ’はＭ＋１以上Ｍ＋Ｎ以下の整数）のそれぞれから一つずつ入力した光信号のうち、良好な受信品質が得られている系統の光分配部３５４１から入力した光信号を選択する。光スイッチ３５４２−ｍ（ｍは１以上Ｍ以下の整数）は、選択した光信号をモニタ用光分配部３５４３−ｍに入力する。
【００８１】
モニタ用光分配部３５４３−ｍ（ｍは１以上Ｍ以下の整数）は、光スイッチ３５４２−ｍから入力した光信号の光パワーの一部を分岐し、分岐した残りの光信号を後段の光増幅／分配部群３５４又は光スプリッタ４０に出力する。各モニタ用光分配部３５４３−１〜３５４３−Ｍは、分岐した光パワーを光モニタ／切替制御部３５４４に入力する。
【００８２】
光モニタ／切替制御部３５４４は、モニタ用光分配部３５４３−１〜３５４３−Ｍの出力と、予備のＮ個の光分配部３５４１の出力を入力し、受信品質をモニタする。光モニタ／切替制御部３５４４は、これら（Ｍ＋Ｎ）個の光信号の品質を常時モニタしている。受信品質は、例えば、光パワー又はモニタ信号品質（ＣＮＲ／ＢＥＲ）である。光モニタ／切替制御部３５４４は、モニタ結果に基づいて、運用中のＭ個の光信号の一部が障害により一定の受信品質を下回ったことを検出した場合には、光スイッチ３５４２−ｍ（ｍは１以上Ｍ以下の整数）は、その受信品質を下回った運用系の光分配部３５４１から出力される光信号を、予備系のＮ個の光信号のうち良好な受信品質が得られている系統の光分配部３５４１から出力される光信号に切り替えてモニタ用光分配部３５４３−ｍに出力する。運用系から予備系となった光分配部３５４１−ｍは、上述した予備系の光分配部３５４１−ｍ’と同様に動作し、予備系から運用系となった光分配部３５４１−ｍ’は、上述した運用系の光分配部３５４１−ｍと同様に動作する。
【００８３】
本実施形態によれば、図７に示す第６の実施形態の構成と同様に、アクティブ部品である光増幅部のＭ：Ｎ冗長を実現しつつ、後段に出力する複数の光信号のそれぞれに光スイッチを設置するため、図７に示す第６の実施形態の構成に比べて、光スイッチ故障時の影響範囲を制限することができる。
【００８４】
（第８の実施形態）
第２の実施形態〜第７の実施形態では、後段に向けて複数の出力に分配する光分配部と、モニタする光信号を分配するモニタ用光分配部を異なる部品で構成していた。本実施形態では、光分配部がモニタ用光分配部の役割を兼ね備える。
【００８５】
本実施形態の光信号分配用システムの構成は、図１に示す第１の実施形態のデータ配信システム１と同様である。ただし、ＯＬＴ３０は、図２に示す光送信部３１０に代えて、図９に示す光送信部３１３を設けた構成である。あるいは、ＯＬＴ３０は、図２に示す各段の光増幅／分配部３５０に代えて、図１０に示す光増幅／分配部３５５又は図１１に示す光増幅／分配部３５６を設けた構成である。
【００８６】
図９は、本実施形態の光送信部３１３の構成を示す機能ブロック図であり、本実施形態と関係する機能ブロックのみを抽出して示してある。同図において、図４に示す第３の実施形態による光送信部３１３と同一の部分には同一の符号を付し、その説明を省略する。光送信部３１３は、第３の実施形態の光送信部３１２の構成を基に、光分配部がモニタ用光分配部の役割を兼ね備える場合の構成を示している。
【００８７】
光送信部３１３は、信号終端／選択部３１０１と、信号分配部３１２１と、Ｋ個（Ｋは２以上の整数）の光信号生成部３１２２と、光スイッチ３１１３と、光分配部３１３１と、光モニタ／切替制御部３１３２とを備える。ここでは、Ｋ＝２とし、ｋ番目（ｋは１以上Ｋ以下の整数）の光信号生成部３１２２を光信号生成部３１２２−ｋと記載する。
【００８８】
信号終端／選択部３１０１から光スイッチ３１１３までの動作は、第３の実施形態と同様である。光分配部３１３１は、光スイッチ３１１３から入力した光信号を、１段目の光増幅／分配部３５０−１と、光モニタ／切替制御部３１３２とに分配して出力する。光モニタ／切替制御部３１３２は、光分配部３１３１から入力した光信号の品質をモニタし、モニタした結果を基に光スイッチ３１１３における光信号の選択を制御する。
【００８９】
図１０は、本実施形態の光増幅／分配部３５５の構成を示す機能ブロック図であり、本実施形態と関係する機能ブロックのみを抽出して示してある。同図において、図５に示す第４の実施形態による光増幅／分配部３５１と同一の部分には同一の符号を付し、その説明を省略する。光増幅／分配部３５５は、第４の実施形態の光増幅／分配部３５１の構成を基に、光分配部がモニタ用光分配部の役割を兼ね備える場合の構成を示している。
【００９０】
光増幅／分配部３５５は、光分配部３５１１と、Ｋ個の光増幅部３５１２と、光スイッチ３５１３と、光分配部３５５１と、光モニタ／切替制御部３５５２とを備える。ここでは、Ｋ＝２とし、ｋ番目（ｋは１以上Ｋ以下の整数）の光増幅部３５１２を光増幅部３５１２−ｋと記載している。
【００９１】
光分配部３５１１から光スイッチ３５１３までの動作は、第４の実施形態と同様である。光分配部３５５１は、光スイッチ３５１３から入力した光信号を、後段の光増幅／分配部３５５と光モニタ／切替制御部３５５２とに分配して入力する。光モニタ／切替制御部３５５２は、光分配部３５５１から入力した光信号の品質をモニタし、モニタ結果を基に光スイッチ３５１３における光信号の選択を制御する。
【００９２】
図１１は、本実施形態の光増幅／分配部３５６の構成を示す機能ブロック図であり、本実施形態と関係する機能ブロックのみを抽出して示してある。同図において、図６に示す第５の実施形態による光増幅／分配部３５２と同一の部分には同一の符号を付し、その説明を省略する。光増幅／分配部３５５は、第５の実施形態の光増幅／分配部３５２の構成を基に、光分配部がモニタ用光分配部の役割を兼ね備える場合の構成を示している。
【００９３】
光増幅／分配部３５６は、光分配部３５１１と、Ｋ個（Ｋは２以上の整数）の光増幅部３５１２と、Ｋ個の光分配部３５６１と、光モニタ／切替制御部３５６２と、Ｊ個（Ｊは２以上の整数）の光スイッチ３５６３とを備える。ここでは、Ｋ＝２とし、ｋ番目の光増幅部３５１２、光分配部３５６１をそれぞれ、光増幅部３５１２−ｋ、光分配部３５６１−ｋと記載する。また、ｊ番目（ｊは１以上Ｊ以下の整数）の光スイッチ３５６３を、光スイッチ３５６３−ｊと記載する。
【００９４】
光分配部３５１１から光増幅部３５１２までの動作は、第５の実施形態と同様である。光分配部３５６１−ｋは、光増幅部３５１２−ｋから入力した光信号を、Ｊ個の光スイッチ３５６３と光モニタ／切替制御部３５６２とに分配して出力する。Ｊ個の光スイッチ３５６３は、光分配部３５６１−１〜３５６１−Ｋのそれぞれから入力した光信号のうち、光モニタ／切替制御部３５６２による光信号のモニタ結果に基づいて選択した光信号を後段の光増幅／分配部３５６又は光スプリッタ４０に出力する。光モニタ／切替制御部３５６２は、光分配部３５６１−１〜３５６１−Ｋから入力した光信号の品質をモニタし、モニタ結果を基にＪ個の光スイッチ３５６３における光信号の選択を制御する。
【００９５】
なお、図３に示す第２の実施形態の光送信部３１１、図７に示す第６の実施形態の光増幅／分配部群３５３、図８に示す第７の実施形態の光増幅／分配部群３５４についても、「光分配部」の一つの出力を「光モニタ／切替制御部」に接続する構成とすることにより、同様の実施形態とすることが可能である。
【００９６】
本実施形態によれば、ＯＬＴの構成部品点数が削減されるため、図３〜７に示す構成に比べて、簡素な構成のＰＯＮシステムを実現することができる。
【００９７】
（第９の実施形態）
第２の実施形態から第８の実施形態では、光送信部における光信号生成部、又は、各段の光増幅／分配の光増幅部のいずれかの冗長化構成を示したが、これらの任意の冗長構成を任意に組み合わせて同時に備えてもよい。
このような構成により、複数個所のアクディブ部品故障が発生しても、サービス影響を最小限に抑えることができ、非常の信頼性の高いＰＯＮシステムを実現することできる。
【００９８】
以上説明した実施形態によれば、収容局装置（例えば、ＯＬＴ３０）は、受信した信号から生成した光信号を出力する光送信部（例えば、光送信部３１０）と、光信号の増幅及び分岐を行う階層化された１以上の光増幅分配部（例えば、光増幅／分配部３５０）とを備える。
【００９９】
光送信部は、信号終端選択部（例えば、信号終端／選択部３１０１）と、光信号生成部（例えば、光信号生成部３１０２）と、光送信部側光分配部（例えば、光分配部３１０３）とを有する。信号終端選択部は、上位のネットワークから受信した複数に冗長化された信号を終端し、終端した信号のうち受信品質に基づいて選択した信号を出力する。光信号生成部は、信号終端選択部が出力した信号から下位のネットワークに用いられる信号形式の光信号を生成し、出力する。光送信部側光分配部は、光信号生成部が出力した光信号を一つ以上に分配して出力する。
【０１００】
光増幅分配部は、光増幅部（例えば、光増幅部３５０１）と、光増幅分配部側光分配部（例えば、光分配部３５０２）とを有する。光増幅部は、光送信部又は前段の他の光増幅分配部が出力した光信号を一つ入力し、光パワーを増幅して出力する。光増幅分配部側光分配部は、光増幅部が出力した光信号を複数に分配して出力する。最終段の光増幅分配部が備える光増幅分配部側光分配部は、分配した光信号を下位のネットワークに送出する。
【０１０１】
なお、収容局装置は、以下の構成の光送信部（例えば、光送信部３１１）を備えてもよい。すなわち、光送信部は、複数の信号終端部（例えば、信号終端部３１１１）と、複数の光信号生成部（例えば、光信号生成部３１１２）と、光スイッチ（例えば、３１１３）と、モニタ用光分配部（例えば、モニタ用光分配部３１１４）と、制御部（例えば、光モニタ／切替制御部３１１５）と、光分配部（例えば、光分配部３１０３）とを有する。複数の信号終端部は、上位のネットワークから受信した複数に冗長化された信号をそれぞれ終端する。複数の光信号生成部は、対応する信号終端部が終端した信号から下位のネットワークに用いられる信号形式の光信号を生成し、出力する。光スイッチは、複数の光信号生成部が出力した光信号から選択した一つの光信号を出力する。モニタ用光分配部は、光スイッチが出力した光信号の一部の光パワーを分配する。制御部は、モニタ用光分配部が分配した一方の光信号をモニタした結果得られた情報を基に光スイッチによる光信号の選択を制御する。光分配部は、モニタ用光分配部が分配した他方の光信号を一つ以上に分配して出力する。
【０１０２】
また、収容局装置は、以下の構成の光送信部（例えば、光送信部３１２）を備えてもよい。すなわち、光送信部は、信号終端選択部（例えば、信号終端／選択部３１０１）と、信号分配部（例えば、信号分配部３１２１）と、複数の光信号生成部（例えば、光信号生成部３１２２）と、光スイッチ（例えば、光スイッチ３１１３）と、モニタ用光分配部（例えば、モニタ用光分配部３１１４）と、制御部（例えば、光モニタ／切替制御部３１１５）と、光分配部（例えば、光分配部３１０３）とを有する。信号終端選択部は、上位のネットワークから受信した複数に冗長化された信号を終端し、終端した信号のうち受信品質に基づいて選択した信号を出力する。信号分配部は、信号終端選択部が出力した信号を複数に分配して出力する。複数の光信号生成部は、信号分配部が出力した複数の信号をそれぞれ入力し、入力した信号から下位のネットワークに用いられる信号形式の光信号を生成し、出力する。光スイッチは、複数の光信号生成部それぞれが出力した光信号から選択した一つの光信号を出力する。モニタ用光分配部は、光スイッチが出力した光信号の一部の光パワーを分配する。制御部は、モニタ用光分配部が分配した一方の光信号をモニタした結果得られた情報を基に光スイッチによる光信号の選択を制御する。光分配部は、モニタ用光分配部が分配した他方の光信号を一つ以上に分配して出力する。
【０１０３】
また、収容局装置は、以下の構成の光増幅分配部（例えば、光増幅／分配部３５１）を備えてもよい。すなわち、光増幅分配部は、入力光分配部（例えば、光分配部３５１１）と、複数の光増幅部（例えば、光増幅部３５１２）と、光スイッチ（例えば、光スイッチ３５１３）と、モニタ用光分配部（例えば、モニタ用光分配部３５１４）と、制御部（例えば、光モニタ／切替制御部３５１５）と、光分配部（例えば、光分配部３５０２）とを有する。入力光分配部は、光送信部又は前段の他の光増幅分配部が出力した光信号を一つ入力し、複数に分配して出力する。複数の光増幅部は、入力光分配部が出力した複数の光信号それぞれを入力し、光パワーを増幅して出力する。光スイッチは、複数の光増幅部それぞれが出力した光信号から選択した一つの光信号を出力する。モニタ用光分配部は、光スイッチが出力した光信号の一部の光パワーを分配する。制御部は、モニタ用光分配部が分配した一方の光信号をモニタした結果得られた情報を基に光スイッチによる光信号の選択を制御する。光分配部は、モニタ用光分配部が分配した他方の光信号を１以上に分配して出力する。最終段の光増幅分配部が備える光分配部は、分配した光信号を下位のネットワークに送出する。
【０１０４】
また、収容局装置は、以下の構成の光増幅分配部（例えば、光増幅／分配部３５２）を備えてもよい。すなわち、光増幅分配部は、入力光分配部（例えば、光分配部３５１１）と、複数の光増幅部（例えば、光増幅部３５１２）と、複数の光分配部（例えば、光分配部３５２１）と、複数の光スイッチ（例えば、光スイッチ３５２２）と、複数のモニタ用光分配部（例えば、モニタ用光分配部３５２３）と、複数の制御部（例えば、光モニタ／切替制御部３５２４）とを有する。入力光分配部は、光送信部又は前段の他の光増幅分配部が出力した光信号の一つを入力し、複数に分配して出力する。複数の光増幅部は、光分配部が出力した複数の光信号のそれぞれを入力し、光パワーを増幅して出力する。複数の光分配部は、対応する光増幅部が出力した光信号を入力し、複数に分配して出力する。複数の光スイッチは、複数の光分配部それぞれが出力した光信号から選択した一つの光信号を出力する。複数のモニタ用光分配部は、対応する光スイッチが出力した光信号の一部の光パワーを分配する。複数の制御部は、対応するモニタ用光分配部が分配した一方の光信号をモニタした結果得られた情報を基に、対応する光スイッチによる光信号の選択を制御する。最終段の光増幅分配部が備えるモニタ用光分配部は、他方の光信号を下位のネットワークに送出する。
【０１０５】
また、収容局装置は、以下の構成の光増幅分配部（例えば、光増幅／分配部群３５３）を備えてもよい。すなわち、光増幅分配部は、複数の光増幅部（例えば、光増幅部３５３１）と、光スイッチ（例えば、光スイッチ３５３２）と、複数のモニタ用光分配部（例えば、モニタ用光分配部３５３３）と、制御部（例えば、光モニタ／切替制御部３５３４）と、複数の光分配部（例えば、光分配部３５３５）とを有する。複数の光増幅部は、光送信部又は前段の光増幅分配部が出力した複数の光信号のそれぞれを入力し、入力した光信号の光パワーを増幅する。光スイッチは、複数の光増幅部それぞれが出力した光信号から選択した複数の運用系の光信号と１以上の予備系の光信号を出力する。モニタ用光分配部は、光スイッチが出力した複数の運用系の光信号のそれぞれを入力し、入力した光信号の一部の光パワーを分配する。制御部は、光スイッチが出力した予備系の光信号と、複数のモニタ用光分配部が分配した一方の光信号とをモニタした結果得られた情報を基に光スイッチによる運用系の光信号の選択を制御する。複数の光分配部は、対応するモニタ用光分配部が出力した他方の光信号を一つ以上の出力に分配する。最終段の光増幅分配部が備える複数の光分配部は、分配した光信号を下位のネットワークに送出する。
【０１０６】
また、収容局装置は、以下の構成の光増幅分配部（例えば、光増幅／分配部群３５４）を備えてもよい。すなわち、光増幅分配部は、複数の光増幅部（例えば、光増幅部３５３１）と、複数の光分配部（例えば、光分配部３５４１）と、複数の光スイッチ（例えば、光スイッチ３５４２）と、複数のモニタ用光分配部（例えば、モニタ用光分配部３５４３）と、制御部（例えば、光モニタ／切替制御部３５４４）とを備える。複数の光増幅部は、光送信部又は前段の他の光増幅分配部が出力した光信号を一つ入力し、入力した光信号の光パワーを増幅する。複数の光分配部は、対応する光増幅部が出力した光信号を複数に分配して出力する。複数の光スイッチは、対応する運用系の光分配部が分配した複数の光信号のうち一つと、予備系の光分配部が分配した複数の光信号のうち一つとから選択した一つの光信号を出力する。複数のモニタ用光分配部は、対応する光スイッチが出力した光信号の一部の光パワーを分配する。制御部は、複数のモニタ用光分配部それぞれが分配した一方の光信号と、予備系の光分配部が出力した光信号のうちの一つとをモニタした結果得られた情報を基に複数の光スイッチによる光信号の選択を制御する。最終段の光増幅分配部が備えるモニタ用光分配部は、他方の光信号を下位のネットワークに送出する。
【０１０７】
なお、収容局装置において、光分配部は、モニタ用光分配部の機能を兼ね備えてもよい。
【０１０８】
以上説明した実施形態によれば、映像コンテンツなどを効率的に分配する光信号分配用システムにおいて、ＯＬＴ内装置を冗長構成とすることができ、信頼性に優れたシステムを提供することが可能となる。
【０１０９】
以上、この発明の実施形態について図面を参照して詳述してきたが、具体的な構成はこの実施形態に限られるものではなく、この発明の要旨を逸脱しない範囲の設計等も含まれる。
【符号の説明】
【０１１０】
１…データ配信システム
１０…代表光送信部
１１…中継ネットワーク
２０…アクセスネットワーク
３０…ＯＬＴ
４０…光スプリッタ
５０…ＯＮＵ
３１０、３１１、３１２、３１３…光送信部
３５０−１、３５０−２、３５１、３５２、３５５、３５６…光増幅／分配部
３５３、３５４…光増幅／分配部群
３１０１…信号終端／選択部
３１０２…光信号生成部
３１０３…光分配部
３１１１−１、３１１１−２…信号終端部
３１１２−１、３１１２−２…光信号生成部
３１１３…光スイッチ
３１１４…モニタ用光分配部
３１１５…光モニタ／切替制御部
３１２１…信号分配部
３１２２−１、３１２２−２…光信号生成部
３１３１…光分配部
３１３２…光モニタ／切替制御部
３５０１…光増幅部
３５０２…光分配部
３５１１…光分配部
３５１２−１、３５１２−２…光増幅部
３５１３…光スイッチ
３５１４…モニタ用光分配部
３５１５…光モニタ／切替制御部
３５２１−１、３５２１−２…光分配部
３５２２−１、３５２２−２…光スイッチ
３５２３−１、３５２３−２…モニタ用光分配部
３５２４−１、３５２４−２…光モニタ／切替制御部
３５３１−１〜３５３１−（Ｍ＋１）…光増幅部
３５３２…光スイッチ
３５３３−１〜３５３３−Ｍ…モニタ用光分配部
３５３４…光モニタ／切替制御部
３５３５−１〜３５３５−Ｍ…光分配部
３５４１−１〜３５４１−（Ｍ＋１）…光分配部
３５４２−１〜３５４２−Ｍ…光スイッチ
３５４３−１〜３５４３−Ｍ…モニタ用光分配部
３５４４…光モニタ／切替制御部
３５５１…光分配部
３５５２…光モニタ／切替制御部
３５６１−１、３５６１−２…光分配部
３５６２…光モニタ／切替制御部
３５６３−１、３５６３−２…光スイッチ
【図１】
2018037954.tif 000003
【図２】
2018037954.tif 000004
【図３】
2018037954.tif 000005
【図４】
2018037954.tif 000006
【図５】
2018037954.tif 000007
【図６】
2018037954.tif 000008
【図７】
2018037954.tif 000009
【図８】
2018037954.tif 000010
【図９】
2018037954.tif 000011
【図１０】
2018037954.tif 000012
【図１１】
2018037954.tif 000013
【図１２】
2018037954.tif 000014